(57)【要約】【課題】ドア枠等に取付けられる戸当りであって、ドア枠、引戸枠、及び開口無目枠が共通の枠材で構成され、ドア枠に戸当りを取付ける為の嵌合溝を設ける必要がなく、しかもドアを閉じた際に戸当りと均一に当るようにした戸当りの提供。【解決手段】戸当りは基台１とカバー材７の２ピースで構成し、概略コ型断面の基台底片２０には幅方向に延びる長穴２４，２４…を形成し、カバー材７は基台１に係止して取付けられる。【選択図】　　　　図１
2004124464.tif 000002
【特許請求の範囲】
【請求項１】
ドア枠に取付けられる戸当りにおいて、該戸当りは基台とカバー材の２ピースで構成され、概略コ型断面の基台の底片にはネジ止め用の穴が形成され、カバー材は上記基台に係止して被覆することを特徴とする戸当たり。
【請求項２】
基台底片には先端にツメを形成した係止片を側片の内側に嵌合溝を設けて平行に起立し、カバー材の上片には先端にツメを形成した嵌入片を延ばし、嵌入片を上記嵌合溝に嵌めてツメに係止した請求項１記載の戸当り。
【請求項３】
上記基台の片側側片にはクッション材を備えた請求項１、又は請求項２記載の戸当り。
【請求項４】
上記基台の片側側片にはモヘアを備えた請求項１、又は請求項２記載の戸当り。
【請求項５】
ドア枠に取付けられる戸当り構造において、該戸当りは基台とカバー材の２ピースで構成され、概略コ型断面の基台の底片には穴を形成すると共に該穴にネジを挿通して枠材の平坦な内面にネジ止めし、そして該基台にカバー材を係止して被覆したことを特徴とする戸当たり構造。
【請求項６】
基台底片には先端にツメを形成した係止片を側片の内側に嵌合溝を設けて平行に起立し、カバー材の上片には先端にツメを形成した嵌入片を延ばし、嵌入片を上記嵌合溝に嵌めてツメに係止した請求項５記載の戸当り構造。
【発明の詳細な説明】
【０００１】
【発明の属する技術分野】
本発明はドア枠、引戸枠、及び開口無目枠に関して、共通した枠材を用いることが出来る戸当り及び戸当り構造に関するものである。
【０００２】
【従来の技術】
ドアが取付けられるドア枠には戸当りが取付けられていて、閉じるドアのストッパーとして、又ドア枠との間に隙間が生じないように機能する。ところで、戸当りの形態にも色々あるが、図１０は従来ドアの代表的な戸当りを示している。該戸当り（イ）には脚（ロ）、（ロ）を有し、該脚（ロ）、（ロ）は戸当り本体の両側からＬ型断面を成して延び、両脚（ロ）、（ロ）は内側に僅かに傾斜した状態にある。
【０００３】
一方、ドア枠を構成する縦桟（ハ）の内面（ニ）には嵌合溝（ホ）、（ホ）が設けられ、この嵌合溝（ホ）、（ホ）には両脚（ロ）、（ロ）が嵌合して取付けられる。すなわち、縦桟（ハ）には嵌合溝（ホ）、（ホ）を加工した状態でドア枠として間口に取付けられる。そして戸当り（イ）にはクッション材（ヘ）が設けられ、ドアが閉じた際の衝撃を緩和することが出来る。
【０００４】
同図の（ｂ）は縦桟（ハ）に戸当り（イ）が取付けられ、該戸当り（イ）にドア先端が当って閉じている状態であるが、ドア（ト）が戸当り（イ）のクッション材（ヘ）に均等に当らない場合が多い。すなわち、嵌合溝（ホ）、（ホ）を加工した縦桟（ハ）がドア枠として正しく組付けされないことがあり、また該縦桟（ハ）に蝶番等の継手を介して取着されるドア（ト）の取付け位置に誤差がある場合、該ドア（ト）が閉じても上記戸当り（イ）との間には必然的に隙間は残ってしまう。
【０００５】
図１１はドア（ト）の別形態の戸当り構造であるが、ドア枠を構成する縦桟（チ）の内面（リ）には嵌合溝（ヌ）が形成され、該嵌合溝（ヌ）に戸当り（ル）の嵌合部（オ）が嵌合することになる。（ｂ）はドア（ト）が閉じた状態であり、戸当り（ル）が縦桟（チ）に取付けられることで、ドア（ト）と縦桟（チ）間に残される隙間（チ）からの光漏れが防止される。しかし、図１１に示すドア（ト）の戸当り構造の場合も、前記図１０に示したドア（ト）の戸当り構造と同じく、ドア（ト）と戸当り（ル）が均一に接することは容易でない。
【０００６】
すなわち、嵌合溝（ヌ）を縦桟（チ）に加工し、これをドア枠として枠組した場合の取付け誤差、又ドア枠に取付けられるドア（ト）の取付け誤差によって、該ドア（ト）と戸当り（ル）との接触にはバラツキを発生する。すなわち、ドア（ト）の上部では戸当り（ル）との間に大きな隙間が介在するにもかかわらず、ドア（ト）の下部では隙間が無くなって戸当り（ル）に接してしまうといった事態が起きる。
【０００７】
このように戸当りの形態にも色々あるが、ドア（ト）が取付けられるドア枠には戸当りが必要となって、枠材には戸当り（イ）、（ル）を取付ける嵌合溝（ホ）、（ホ）、及び嵌合溝（ヌ）を加工しなくてはならない。一方、引戸が取付けられる引戸枠及び開口無目枠には戸当りを必要としない為に、該戸当りが取付けられる嵌合溝は必要としない。従って、ドア枠と引戸枠及び開口無目枠を共通化することは出来ない。勿論、このような嵌合溝（ホ）、（ホ）、及び嵌合溝（ヌ）を加工すること事態面倒であり、コスト高の一因となっている。
【０００８】
【発明が解決しようとする課題】
このように、従来の戸当りには上記のごとき問題がある。本発明が解決しようとする課題はこれら問題点であり、ドア枠、引戸枠、及び開口無目枠が共通の枠材で構成され、ドア枠に戸当りを取付ける為の嵌合溝を設ける必要がなく、そしてドアを閉じた際に戸当りと均一に当ることが出来る戸当り及び戸当り構造を提供する。
【０００９】
【課題を解決する為の手段】
本発明に係る戸当りは２ピースで構成され、基台とカバー材から成っている。基台は枠材にネジ止めにて取着され、カバー材は該基台にワンタッチ方式で取付けられるように、基台に設けた溝にカバー材の脚が嵌るようにしている。又は、逆に基台に設けた脚がカバー材の溝に嵌って取付けることも出来る。そこで、枠材の内面は平坦面を成して従来の嵌合溝を有していない。従って、ドア枠、引戸枠、及び開口無目枠に対して共通した枠材を使用することが出来る。
【００１０】
ここで、カバー材は基台を被覆する形状と成っているが、具体的にはドア枠に適した個々の特徴をもって形成することが出来る。そして、ドアの戸当りの場合には、基台側の側面にクッション材を設けてドアの当りを緩和することは自由である。又、基台側の側面にモヘアを取付けることもある。以下、本発明に係る実施例を図面に基づいて詳細に説明する。
【００１１】
【実施例】
図１（ａ）〜（ｃ）は本発明の戸当りを示している実施例であり、（ａ）は基台、（ｂ）、（ｃ）はカバー材を表わしている。基台１は上方を開口した概略コ型断面を有し、両側片２，２の内側には係止片３，３を平行に起立していて、係止片３，３の先端部であって側片側には概略三角形のツメ４，４を形成している。そして、側片２と係止片３との間には嵌合溝５を設けている。さらに、一方の側片外側には軟質樹脂から成るクッション材６を備えている。
【００１２】
（ｂ）にはカバー材７を示しているように、上片８と側片９から成る概略Ｌ型断面を成し、上片８には２本の嵌入片１０，１０を側片９と平行に延ばしている。そして、嵌入片１０，１０の先端には概略三角形のツメ１１，１１を内側に形成している。
（ｃ）は別のカバー材１２を示しているが、上片１３には２本の嵌入片１４，１４を垂直に延ばし、両嵌入片１４，１４の先端にはツメ１５，１５を内側に向けて形成している。そして、上片１３の一方側に短い側片１５を起立すると共に、傾斜片１６を延ばしている。
【００１３】
図２はドア枠の正面図であり、図３（ａ）〜（ｃ）は図２におけるａ−ａ断面拡大図、ｂ−ｂ断面拡大図、ｃ−ｃ断面拡大図を夫々表わしている。ドア枠１７は両縦桟１８，１８と上桟１９から成る門型を成し、縦桟１８，１８及び上桟１９の表面には上記図１の（ａ）に示す基台１がネジ止めされる。ここで、基台１の底片２０には幅方向に延びる長穴が形成され（図８参照）、ネジ２１，２１…は該長穴に挿通され、縦桟１８、及び上桟１９に該ネジ２１，２１…が螺合して締付け・固定される。
【００１４】
従って、ネジ２１，２１…で基台１を仮止めし、ドアが閉じた際にドア面と隙間なく接するように、上記長穴の範囲内で基台１の位置を調整することが出来る。そして、この基台１，１…に、図１の（ｂ）又は（ｃ）に示すカバー材が取付けられる。（ｂ）のカバー材７は上桟１９の基台１に取付けられ、（ｃ）のカバー材１２は両縦桟１８，１８の基台１，１に取付けられている。
【００１５】
カバー材７の嵌入片１０，１０は基台１の嵌合溝５，５に嵌入し、そして嵌入片１０，１０の先端に形成しているツメ１１，１１は基台１の係止片３，３の先端に形成しているツメ４，４に係止することが出来、取付けたカバー材７は該基台１から外れることはない。カバー材１２の場合も同じく、嵌合溝５，５に嵌入した嵌入片１４，１４のツメ１５，１５が基台１の係止片３，３のツメ４，４に係止して外れないようになる。
【００１６】
図３（ａ）〜（ｃ）は基台１，１…にカバー材７，１２，１２を取付けた状態である。縦桟１８，１８及び上桟１９の取付け誤差、そしてドア枠１７に取付けられるドアの位置精度が如何様であっても、この取着されたドアに合わせて基台１，１…がネジ止めされ、この基台１，１…にカバー材７，１２，１２がワンタッチで取付けられる。
【００１７】
図４は戸当りを示す他の実施例である。（ａ）は基台１、（ｂ）、（ｃ）はカバー材７，２１を表わしている。（ａ）の基台１は前記実施例の基台１と同じであり、又（ｂ）のカバー材７も図１（ｂ）の場合と共通している。（ｃ）に示しているカバー材２１は上片１３の一方に湾曲片２２を形成している。すなわち、図１（ｃ）に示しているカバー材１２の傾斜片１６に代わって湾曲片２２を設けている。
【００１８】
図５は図４に示している戸当りをドア枠１７に取付けた断面図であって、同図（ａ）〜（ｃ）は図２におけるａ−ａ断面拡大図、ｂ−ｂ断面拡大図、ｃ−ｃ断面拡大図を夫々表わしている。縦桟１８，１８及び上桟１９の表面には上記図４の（ａ）に示す基台１がネジ止めされる。ここで、基台１の底片２０には幅方向に延びる長穴が形成され、ネジ２１，２１…は該長穴に挿通され、縦桟１８、及び上桟１９に該ネジ２１，２１…が螺合して締付け・固定される。
【００１９】
従って、ネジ２１，２１…で基台１を仮止めし、ドアが閉じた際にドア面と隙間なく接するように、上記長穴の範囲内で基台１の位置を調整することが出来る。そして、この基台１，１…に、図４の（ｂ）又は（ｃ）に示すカバー材が取付けられる。（ｂ）のカバー材７は上桟１９の基台１に取付けられ、（ｃ）のカバー材１２は両縦桟１８，１８の基台１，１に取付けられている。
【００２０】
図５（ａ）〜（ｃ）は基台１，１…にカバー材７，１２，１２を取付けた状態である。縦桟１８，１８及び上桟１９の取付け誤差、そしてドア枠１７に取付けられるドアの位置精度が如何様であっても、この取着されたドアに合わせて基台１，１…がネジ止めされ、この基台１，１…にカバー材７，１２，１２がワンタッチで取付けられる。
【００２１】
図６は縦桟に取付けた戸当りを示しているさらに別形態であり、このように基台１が同じであっても、取付けるカバー材は色々な形状とすることが出来る。そして図７は縦桟に戸当りを取付ける手順を示しているが、基台１をネジ２１，２１…にて仮止めし、片方の側片２に設けているクッション材６が全長にわたってドア２３に接するように該基台１を調整する。その後、ネジ２１を締付け・固定し、カバー材７を取付ける。
【００２２】
図８は基台１を単独で示しているが、底片２０には長穴２４，２４…が貫通して設けられ、この長穴２４，２４…の範囲内で基台１が調整されて、クッション材６を閉じたドア２３に接するようにする。勿論、底片２０には必ずしも長穴２４，２４…を設ける必要はない。
図９は戸当りにモヘア２５を取付けた場合を示している。すなわち、前記図７に示した戸当り構造では基台１の側片２にクッション材６を設けているが、該クッション材６の代わりに同図に示すモヘア２５を使用する場合もある。
【００２３】
以上述べたように、本発明の戸当りは基台とカバー材の２ピースで構成し、枠材に基台をネジ止めすると共にカバー材を取付けしたものであり、次のような効果を得ることが出来る。
【００２４】
【発明の効果】
本発明に係る戸当りは基台とカバー材の２ピースで構成し、該基台は枠材にネジ止めされ、そしてカバー材は基台にワンタッチで取付けすることが出来る。従って、ネジ止めされる基台はその位置を調整出来る為に、閉じたドアに対して正しく位置決めしたところでネジを締付けて固定され得る。その為に、ドアとの間に隙間が残されたり、閉じたドアから光が漏れることはない。
【００２５】
そして、本発明では、枠材に戸当りを取付ける為の嵌合溝を加工する必要はなく、ドア枠の加工工数は小さくなる。又、戸当りが取付けられる嵌合溝が必要でない為に、ドア枠、引戸枠、又ドアを取付けない単なる出入り口となる開口無目枠であっても、同じ枠体を使用出来、枠材は共通化される。すなわち、枠材が同一形状と成ることで生産効率が高くなり、在庫管理の負担が軽減し、コストは低下する。
【００２６】
一方、開口無目枠にドアを取付ける場合、縦桟に蝶番を介してドアを取着すると共に、閉じた状態でのドア位置に合わせて基台をネジ止めし、該基台にカバー材を取付けするだけでリフォームが簡単に出来る。逆に、ドアを取外す場合には、カバー材を外すと共に、ネジ止めされている基台を取除いても、枠材には溝が残らない。
【図面の簡単な説明】
【図１】本発明に係る戸当りで、（ａ）は基台、（ｂ）、（ｃ）はカバー材を示す。
【図２】ドア枠の正面図。
【図３】（ａ）は図２のａ−ａ断面拡大図、（ｂ）は図２のｂ−ｂ断面拡大図、（ｃ）は図２のｃ−ｃ断面拡大図を示している。
【図４】本発明に係る他の戸当りで、（ａ）は基台、（ｂ）、（ｃ）はカバー材を示す。
【図５】（ａ）は図２のａ−ａ断面拡大図、（ｂ）は図２のｂ−ｂ断面拡大図、（ｃ）は図２のｃ−ｃ断面拡大図を示している。
【図６】縦桟に取付けた別の戸当り。
【図７】縦桟に戸当りを取付ける手順。
【図８】基台の具体例。
【図９】戸当りにモヘアを取付けた本発明の戸当り構造。
【図１０】従来のドアの戸当り。
【図１１】従来のドアの戸当り。
【符号の説明】
１　基台
２　側片
３　係止片
４　ツメ
５　嵌合溝
６　クッション材
７　カバー材
８　上片
９　側片
１０　嵌入片
１１　ツメ
１２　カバー材
１３　上片
１４　嵌入片
１５　側片
１６　傾斜片
１７　ドア枠
１８　縦桟
１９　上桟
２０　底片
２１　カバー材
２２　湾曲片
２３　ドア
２４　長穴
２５　モヘア
【図１】
2004124464.tif 000003
【図２】
2004124464.tif 000004
【図３】
2004124464.tif 000005
【図４】
2004124464.tif 000006
【図５】
2004124464.tif 000007
【図６】
2004124464.tif 000008
【図７】
2004124464.tif 000009
【図８】
2004124464.tif 000010
【図９】
2004124464.tif 000011
【図１０】
2004124464.tif 000012
【図１１】
2004124464.tif 000013